(57)【要約】  例えば、関節上腕の脱旧ならびに亜脱旧の治療、関節包内偏位の治療、術後の回旋筋腱板の修復、術後のバンカート法、および軟組織の挫傷ならびに修復のための肩吊り包帯が提供されている。この吊り包帯には、装着者の胴に接する支持ピローと、装着者の腕を受け入れるポーチとが含まれている。複数のストラップが、装着者の非治療肩からピローとポーチとを吊るしている。ストラップのうち１つは、ピローが使用者に対して移動するのを防止して、装着者の腕を所望の外転角および外旋角で確実に維持する。ピローには、取り付けられた運動用グリップと、医師がこの吊り包帯を装着者に適切に装着するのに役立つ表示線とがさらに含まれている。
2007505651.tif 000002
【特許請求の範囲】
【請求項１】
装着者の胴に接するための輪郭が付けられた内側面と装着者の腕に作用可能に接しかつその腕を支持する外側面とを含んでいる支持ピロー、
装着者の前腕を受け入れるとともにその前腕を少なくとも部分的に囲い込むポーチ、および
支持ピローとポーチとを装着者に固定する複数のストラップ
を備えてなり、
内側面の前縁と外側面の前縁との距離は、内側面の後縁と外側面の後縁との距離よりも実質的に大きい
装着者の腕を所望の外転角および外旋角で支持する肩吊り包帯。
【請求項２】
支持ピローは、装着者の腕をおよそ１５°の外転角およびおよそ１５°の外旋角の位置に保持する請求項１に記載の肩吊り包帯。
【請求項３】
支持ピローは、装着者の腕をおよそ１５°の外転角およびおよそ３０°の外旋角の位置に保持する請求項１に記載の肩吊り包帯。
【請求項４】
ストラップのうち第１のものは、前記内側面の前縁に隣接して支持ピローから前記内側面の後縁に隣接して支持ピローまで延びている胴ストラップからなっている請求項１に記載の肩吊り包帯。
【請求項５】
ストラップのうち第２のものは、支持ピローの前面から肩パッドの前縁まで延びている胸ストラップからなっている請求項４に記載の肩吊り包帯。
【請求項６】
ストラップのうち第３のものは、ポーチの後縁から肩パッドの後縁まで延びている背ストラップからなっている請求項５に記載の肩吊り包帯。
【請求項７】
ストラップのうち第４のものは、肩パッドの前縁から前記内側面の後縁に隣接して支持ピローまで延びている回転防止ストラップからなっている請求項６に記載の肩吊り包帯。
【請求項８】
ポーチは、支持ピローの外側面に取り外し可能に固定されている請求項１に記載の肩吊り包帯。
【請求項９】
支持ピローの前面に固定された弾力性・圧縮性部材をさらに備えている請求項１に記載の肩吊り包帯。
【請求項１０】
装着者の腕に作用可能に接しかつその腕を支持する外側面を含んでいる支持ピロー、
支持ピローに固定されて装着者の前腕を受け入れるとともにその前腕を少なくとも部分的に囲い込むポーチ、および
支持ピローとポーチとを装着者に固定する複数のストラップ
を備えてなり、
ストラップのうち第１のものは、支持ピローの前面から肩パッドの前縁まで延びている胸ストラップからなり、
ストラップのうち第２のものは、ポーチの後縁から肩パッドの後縁まで延びている背ストラップからなり、
ストラップのうち第３のものは、肩パッドの前縁から前記内側面に隣接して支持ピローまで延びている回転防止ストラップからなっている
装着者の腕を所望の外転角および外旋角で支持する肩吊り包帯。
【請求項１１】
前記内側面の前縁に隣接して支持ピローから前記内側面の後縁に隣接して支持ピローまで延びている胴ストラップをさらに備えている請求項１０に記載の肩吊り包帯。
【請求項１２】
支持ピローの前面に固定された弾力性・圧縮性部材をさらに備えている請求項１０に記載の肩吊り包帯。
【請求項１３】
装着者の胴に接するための輪郭が付けられた内側面と装着者の腕に作用可能に接しかつその腕を支持する外側面とを含んでいる支持ピロー、
装着者の前腕を受け入れるとともにその前腕を少なくとも部分的に囲い込むポーチ、および
支持ピローとポーチとを装着者に固定する複数のストラップ
を備えてなり、
支持ピローの上面は、吊り包帯が適切に装着されたときに装着者がわかるように装着者へ視覚的手掛かりをもたらすまっすぐな表示線を含んでいる
装着者の腕を所望の外転角および外旋角で支持する肩吊り包帯肩吊り包帯。
【請求項１４】
装着者の胴に接するための輪郭が付けられた内側面と装着者の腕に作用可能に接しかつその腕を支持する外側面とを含んでいる支持ピロー、
装着者の前腕を受け入れるとともにその前腕を少なくとも部分的に囲い込むポーチ、
支持ピローとポーチとを装着者に固定する複数のストラップ、および
支持ピローの前方部分に固定された運動用グリップ
を備えてなる
装着者の腕を所望の外転角および外旋角で支持する肩吊り包帯。
【請求項１５】
装着者の胴に接するための輪郭が付けられた内側面と装着者の腕に作用可能に接しかつその腕を支持する外側面とを含んでいる支持ピロー、および
支持ピローを装着者に固定する複数のストラップ
を備えてなり、
内側面の前縁と外側面の前縁との距離は、内側面の後縁と外側面の後縁との距離よりも実質的に大きい
装着者の腕を所望の外転角および外旋角で支持する肩吊り包帯。
【請求項１６】
装着者の前腕を受け入れるとともにその前腕を少なくとも部分的に囲い込むポーチをさらに備えている請求項１５に記載の肩吊り包帯。
【請求項１７】
ストラップのうち第１のものは、前記内側面の前縁に隣接して支持ピローから前記内側面の後縁に隣接して支持ピローまで延びている胴ストラップからなっている請求項１５に記載の肩吊り包帯。
【請求項１８】
支持ピローを装着者の肩から吊るすためにストラップと協働する肩パッドをさらに備えている請求項１５に記載の肩吊り包帯。
【請求項１９】
ストラップのうち第２のものは、支持ピローの前面から肩パッドの前縁まで延びている胸ストラップからなっている請求項１８に記載の肩吊り包帯。
【請求項２０】
ストラップのうち第３のものは、肩パッドの後縁から装着者の背中を越えて対角線状に延びている背ストラップからなっている請求項１９に記載の肩吊り包帯。
【請求項２１】
支持ピローの前面に固定された弾力性・圧縮性部材をさらに備えている請求項１５に記載の肩吊り包帯。
【請求項２２】
支持ピローが第１方位を占有するときにはそれは装着者の右腕を支持するように適合されており、支持ピローが第１方位から上下逆にされたときにはそれは装着者の左腕を支持するように適合されている請求項１５に記載の肩吊り包帯。
【請求項２３】
装着者の胴に接するように適合された輪郭が付けられた内側面と装着者の前腕を支持するように適合された外側面とを含んでいる支持ピロー、
支持ピローの外側面と協働して装着者の前腕を少なくとも部分的に囲い込むように適合されたポーチ、
装着者の肩の上に置かれるように適合された肩パッド、および
支持ピローとポーチとを装着者に固定するように適合された複数のストラップ
を備えてなり、
第１のストラップは、装着者の胴の周りに延びて支持ピローの内側面をそれとともに当接状態に維持するように適合された胴ストラップからなり、
第２のストラップは、支持ピローの前方部分を支持するように、かつ、支持ピローの前方部分を肩パッドの前縁から吊るすように適合された胸ストラップからなり、
第３のストラップは、支持ピローの後方部分を支持するように、かつ、支持ピローの後方部分を肩パッドの後縁から吊るすように適合された背ストラップからなっている
装着者の腕を所望の外転角および外旋角で支持する肩吊り包帯。
【請求項２４】
支持ピローの前面に固定された弾力性・圧縮性部材をさらに備えている請求項２３に記載の肩吊り包帯。
【請求項２５】
胴ストラップは、装着者の胴に対して胴ストラップを迅速に固定するように、かつ、装着者の胴から胴ストラップを迅速に取り外すように適合されたバックルをさらに備えている請求項２３に記載の肩吊り包帯。
【発明の詳細な説明】
【技術分野】
【０００１】
この発明は整形外科用装具に関するものである。さらに詳しくは、この発明の肩吊り包帯（shoulder sling）によれば、さまざまな外転角（angle of abduction）および外旋角（angle of external rotation）で装着者の腕に安定的で確実な支持がもたらされる。
【背景技術】
【０００２】
医師は多くの肩疾患をしばしば肩吊り包帯で治療する。例えば、肩脱旧あるいは肩手術を受けて、医師は、肩が治癒の間に動かない状態に維持されるように、患者の疾患腕を吊り包帯（sling）の中へ入れることがある。多くの簡単な吊り包帯には、装着者の首の周りにストラップで支持されるポーチが単に備わっている。装着者の前腕は、肘が９０°の角度にあって前腕が装着者の腹部を横切って延びるように、ポーチの内部に置かれる。米国特許第４，３７２，３０１号、第４，６２２，９６１号および第４，８３４，０８２号には、このような簡単な吊り包帯の例が提供されている。
【０００３】
ある種の肩治療については、患者にとって彼あるいは彼女の肩がある外転角、伸展角（angle of extension）および回転角（angle of rotation）に維持されることは好ましい。これらの治療状況のために、医師は挙上支持装具を含む吊り包帯をしばしば採用する。挙上支持装具によって装着者の腕が所望の角度に維持され、ストラップおよび／またはポーチによって挙上支持装具に対する装着者の腕の位置が維持される。
【０００４】
米国特許第５，３３４，１３２号には、肩ストラップ１８とウエストストラップ２０とによって支持される前腕支持部分２２を含む腕吊り包帯が開示されている。前腕支持部分２２には、装着者に対向する側部にポケット５０が含まれている。ポケット５０には、患者のウエストに接して装着者の腕を小さい外転角に維持する発泡体製クッション５２が封入されている。
【０００５】
米国特許第４，５９８，７０１号には、合成発泡材料から作られて装着者の腕を所望の外転角に支持する単一ブロックを備えた肩外転副子が開示されている。このブロックは複数のストラップ２４，２６，２８，２９によって支持される。このブロックには、装着者に接する平坦表面Ｃと、装着者の腕をほぼ４５°の外転角に支持する第２表面Ｂとが含まれている。このブロックにはさらに、平坦な下部表面Ａが含まれている。このブロックが上下逆にされると、下部表面Ａは装着者の腕をほぼ９０°の外転角に支持する。
【発明の開示】
【発明が解決しようとする課題】
【０００６】
上で説明されたそれらの吊り包帯を含む現在の肩吊り包帯にあっては、装着者に対する吊り包帯の望ましくない移動あるいは回転に対する拘束が不充分である。これらの吊り包帯のそれぞれについては、一般に、複数のストラップが腕支持部分を装着者の首および／または肩から吊るしている。これらのストラップは、腕支持部分を所望高さに保持する機能だけを有している。ストラップが装着者の胴の周りに巻き付くように設けられているときには、そのストラップは、装着者の腕がより大きい外転角へ到達するのを防止する機能だけを有している。どのようなストラップも、伸展角および回転角の変化を引き起こす装着者の腕についての他の移動を防止するために適切に位置決めされたりぴんと張られたりしていない。このような望ましくない移動によって、装着者の肩を治療する際に吊り包帯の有効性が減少することがある。
【０００７】
現在の吊り包帯はまた、装着者の腕を正の外旋角で支持することがない。いくつかの吊り包帯は装着者の腕を０°の外転角と０°の回転角で吊るしている。いくつかの吊り包帯は装着者の腕を０°の外転角と正の内旋角で吊るしている。最後に、いくつかの吊り包帯は装着者の腕を正の外転角と０°の回転角で吊るしている。
【０００８】
それゆえ、装着者の腕を正の外旋角で支持し、かつ、装着者の腕を望ましくない伸展および回転に対して拘束する肩吊り包帯が、肩疾患のある人々にとっては大きい利益であろう。
【課題を解決するための手段】
【０００９】
この発明の肩吊り包帯の好ましい実施形態はいくつかの特徴を有しているが、それらのうち単一の特徴は、それらの望ましい属性について単独で応じるものではない。特許請求の範囲によって表現されたようなこの発明の肩吊り包帯の範囲を制限することなく、そのいっそう顕著な特徴がこれから簡単に検討される。この検討を考慮に入れた後に、またとりわけ「発明を実施するための最良の形態」と名付けられた項を読んだ後に、人は、好ましい実施形態の特徴がどのようにして所望の外転角および外旋角で装着者の腕の確実な拘束を含む利点をもたらすかを理解するであろう。
【００１０】
この発明の肩吊り包帯の好ましい実施形態では、装着者の腕は所望の外転角および外旋角で支持される。この吊り包帯には、装着者の胴に接するための輪郭が付けられた内側面と装着者の腕に作用可能に接しかつその腕を支持する外側面とを含んでいる支持ピローが備わっている。ポーチが、装着者の前腕を受け入れるとともにその前腕を少なくとも部分的に囲い込む。複数のストラップが支持ピローとポーチとを装着者に固定する。内側面の前縁と外側面の前縁との距離は、内側面の後縁と外側面の後縁との距離よりも実質的に大きい。
【００１１】
この発明の肩吊り包帯の別の好ましい実施形態では、装着者の腕は所望の外転角および外旋角で支持される。この吊り包帯には、装着者の腕に作用可能に接しかつその腕を支持する外側面を含んでいる支持ピローが備わっている。支持ピローの外側面に固定されたポーチが、装着者の前腕を受け入れるとともにその前腕を少なくとも部分的に囲い込む。複数のストラップが、支持ピローとポーチとを装着者に固定する。ストラップのうち第１のものは、支持ピローの前面から肩パッドの前縁まで延びる胸ストラップからなっている。ストラップのうち第２のものは、ポーチの後縁から肩パッドの後縁まで延びる背ストラップからなっている。ストラップのうち第３のものは、肩パッドの前縁から内側面に隣接して支持ピローまで延びる回転防止ストラップからなっている。
【００１２】
この発明の肩吊り包帯の別の好ましい実施形態では、装着者の腕は所望の外転角および外旋角で支持される。この吊り包帯には、装着者の胴に接するための輪郭が付けられた内側面と装着者の腕に作用可能に接しかつその腕を支持する外側面とを含んでいる支持ピローが備わっている。ポーチが、装着者の前腕を受け入れるとともにその前腕を少なくとも部分的に囲い込む。複数のストラップが、支持ピローとポーチとを装着者に固定する。支持ピローの上面には、吊り包帯が適切に装着されたときに装着者がわかるように装着者へ視覚的手掛かりをもたらすまっすぐな表示線が含まれている。
【００１３】
この発明の肩吊り包帯の別の好ましい実施形態では、装着者の腕は所望の外転角および外旋角で支持される。この吊り包帯には、装着者の胴に接するための輪郭が付けられた内側面と装着者の腕に作用可能に接しかつその腕を支持する外側面とを含んでいる支持ピローが備わっている。ポーチが、装着者の前腕を受け入れるとともにその前腕を少なくとも部分的に囲い込む。複数のストラップが、支持ピローとポーチとを装着者に固定する。支持ピローの前方部分には、取り付けられた運動用グリップが含まれている。
【発明を実施するための最良の形態】
【００１４】
この発明の肩吊り包帯の好ましい実施形態は、その特徴を図示することで、これから詳しく検討される。これらの実施形態には、例示的な目的のためだけのものである添付図面に示された新規かつ非自明の肩吊り包帯が述べられている。
【００１５】
図１および図２に図示されたように、この発明の肩吊り包帯１０には、支持ピロー１２、前腕ポーチ１４、およびピロー１２とポーチ１４とを装着者に固定する複数のストラップ１６，１８，２０，２２が備わっている。この吊り包帯１０は、関節上腕の脱旧ならびに亜脱旧および関節包内偏位を治療するときにとりわけ有効である。この吊り包帯１０は、術後の回旋筋腱板の修復、術後のバンカート法、および軟組織の挫傷ならびに修復にもとりわけ有効である。この吊り包帯１０は、装着者の腕を所望の外転角および外旋角で維持する。
【００１６】
特に好ましい実施形態では、吊り包帯１０は、装着者の腕をおよそ１５°の外転角およびおよそ１５°の外旋角で維持することができる。別の特に好ましい実施形態では、吊り包帯１０は、装着者の腕をおよそ１５°の外転角およびおよそ３０°の外旋角で維持することができる。しかしながら、当業者は、吊り包帯１０が装着者の腕を事実上任意の外転角、伸展角および回転角で維持することができるということを理解するであろう。これらの角度のそれぞれの大きさは、装着者の背格好ならびに体形、支持ピロー１２の寸法ならびに形状、およびストラップ１６，１８，２０，２２の長さに左右される。図１および図２は、異なった寸法および形状にされた支持ピロー１２を図示している。図１のピロー１２は装着者の腕をより小さい外旋角に維持し、図２のピロー１２は装着者の腕をより大きい外旋角に維持する。
【００１７】
都合のよいことに、この発明の吊り包帯１０は、装着者の右肩か左肩かのいずれかを治療するために使用することができる。図面は、右手用配置における吊り包帯１０を図示している。この吊り包帯１０は、ストラップ１６，１８，２０，２２と前腕ポーチ１４をピロー１２から取り外し、ピロー１２をそれが装着者の左側に置かれるように適合させるためにピロー１２を上下逆にし、ストラップ１６，１８，２０，２２と前腕ポーチ１４をピロー１２に再び取り付けることによって、左手用配置に容易に変更される。
【００１８】
図３によれば、支持ピロー１２は、発泡体のような軽量材料から作られたブロック２４からなっている。支持ピローの材料は、装着者により大きい快適さをもたらすために、柔らかくて弾性があるのが好ましい。ピロー１２の外面はループ状生地からなっているのが好ましい。例えば、ピロー１２には発泡体の芯２４を覆って布製カバー２６が含まれ、カバー２６にはループ状外面が備わっている。従って、以下に説明するように、ピローの外面２６は、フック生地を容易に受け入れるとともに取り外し可能に固定する。布製カバー２６のための好ましい生地は、けば立て加工されたナイロンである。
【００１９】
ピロー１２の内側面２８（図３）は、図６〜図８に図示されたように装着者の腰および胴に接して快適に適合するように、輪郭が付けられている。ピロー１２の外側面３０は、図６〜図８に図示されたように、平坦であって前腕ポーチ１４に接している。内側面２８と外側面３０との相対的な位置および方位によって、吊り包帯１０が装着されたときに装着者の腕が占有する外転角および外旋角が決定される。
【００２０】
吊り包帯１０の右手用配置についての図５によれば、前腕ポーチ１４には内側パネル３２と外側パネル３４が備わっている。吊り包帯１０の左手用配置（図示略）では、内側パネル３２は実際には外側に位置し、外側パネル３４は実際には内側に位置する。説明を簡略にするために、パネル３２，３４は、吊り包帯１０が右手用配置にあるときにそれらが位置しているものとして説明される。
【００２１】
前腕ポーチ１４は、いくらかの剛性といくらかの柔軟性との双方を備えたポーチ１４をもたらす材料から構成されているのが好ましい。例えば、好ましい実施形態では、内側パネル３２および外側パネル３４は、布地からなる第１外側層、発泡体からなる内側層、および布地からなる第２外側層を備えているラミネートからそれぞれ構成されている。
【００２２】
パネル３２，３４の内面３６（装着者の腕に接する面）は、木綿−ポリエステル混紡のような柔軟かつ吸湿性の材料からなるのが好ましい。パネル３２，３４の外面３８は、フック生地を受け入れるように適合された耐久性材料からなるのが好ましい。例えば、外面３８は、けば立て加工されたナイロンから作ることができる。
【００２３】
さらに図５によれば、内側パネル３２と外側パネル３４とは、それらにおけるそれぞれの下縁４０および後縁４２に沿って互いに固定されている。パネル３２，３４は、半分に折り曲げられる単一のシートから形成することができる。折り曲げ線は、ポーチ１４の下縁４０かあるいは後縁４２かのいずれかを形成することができる。この代わりに、パネル３２，３４は、２つの縁に沿って互いに固定される２つの分離シートから形成することができる。図示された実施形態では、パネル３２，３４は単一の折り曲げシートから形成されており、また、その折り曲げ線はポーチ１４の下縁４０を形成している。当業者は、パネル３２，３４の縁４０，４２が永久手段および取り外し可能手段の双方を含むさまざまな代わりの手段で互いに固定されてもよいということを理解するであろう。都合のよいことに、外側パネル３４の内側面４４にはフック生地４６からなるパッチが含まれている。フック生地４６は、図１および図２に示されたように、前腕ポーチ１４をピローの外側面３０に取り外し可能に固定するためにピローの外面２６におけるループ生地に係合する。ポーチ１４の外面には、ポーチ１４の残部とは異なった質感を有しているループ生地４７からなる細長片（破線によって表示されている）が含まれていてもよい。
【００２４】
パネル３２，３４の上縁４８および前縁５０は互いに固定されていない。図６〜図８に示されたように、吊り包帯１０が装着されると、装着者は彼の前腕をポーチ１４の中に置く。装着者の上腕はポーチ１４の後方部分から上方へ突き出る（図７）。装着者の手はポーチ１４の前縁５０から前方へ突き出る。
【００２５】
図５によれば、内側パネル３２の上縁４８の前方部分には、第１ストラップ５２が第１Ｄリング５４を介して固定されている。外側パネル３４の上縁４８の前方部分には第２Ｄリング５４が固定されている。外側パネル３４の上縁４８の後方部分には第２ストラップ５６が固定されている。第２ストラップ５６には弾性部分５８が含まれている。
【００２６】
図示された実施形態では、縫い付け部６０（図５）によってＤリング５４がパネル３２，３４に永久に固定されており、また、フック生地（図示略）によって第２ストラップ５６がパネル３４に取り外し可能に固定されている（図７）。しかしながら、当業者は、Ｄリング５４が代わりの手段によってパネルに固定されてもよいということを理解するであろう。例えば、Ｄリング５４はフック生地を含むストラップ５６（図７）に固定されてもよく、また、フック生地はポーチ１４の外面に取り外し可能に固定することのできるものでもよい。同様に、ストラップ５６は、例えば縫い付けによってパネル３４に永久に固定されてもよい。
【００２７】
図５、図６および図７に示されたように、ストラップ５２は、Ｄリング５４に通されているとともにピロー１２へ向かって折り返されている。ストラップ５２におけるフック生地は、ピロー１２におけるループ生地に係合しているとともにストラップ５２をピローに固定している。同様に、ストラップ５６は、パネル３２，３４の上縁４８を越えてピロー１２へ向かって延びている。ストラップ５６におけるフック生地は、ピロー１２におけるループ生地に係合しているとともにストラップ５６をピローに固定している。ストラップ５６の弾性部分５８は、ストラップ５６がさまざまな箇所でピロー１２に係合することができるように、ストラップ５６を伸ばすことができる。従って、ストラップ５２，５６は、図６および図７に示されたように、ポーチ１４の上縁４８を装着者の腕といっしょに締め付ける。
【００２８】
図１および図２によれば、ピロー１２の前面６２には、都合のよいことに運動用グリップ６４が含まれている。図示された実施形態では、グリップ６４は弾力性・圧縮性材料から作られた球状ボール６６からなっている。当業者は、ボール６６が任意の形状であってもよいということを理解するであろう。ボール６６は第１および第２の環状ストラップ６８によってピロー１２に固定されている。これらのストラップ６８は、同じ箇所でフック生地からなるパッチ７０に固定されている。フック生地からなるパッチ７０は、ピロー１２におけるループ生地に係合して、ストラップ６８をピロー１２に固定している。このように、グリップ６４は事実上、任意の箇所でピロー１２に固定することができる。当業者は、グリップ６４が１つの箇所でグリップ６４をピロー１２に永久に固定する縫い付けによるような他の方法でピロー１２に取り付けられてもよい、ということを理解するであろう。
【００２９】
環状ストラップ６８は互いに９０°ずれている。従って、ストラップ６８は、ボール６６の表面の大部分を取り囲んでおり、ボール６６がストラップ６８から誤って抜けるのを防止している。ボール６６をストラップ６８の内部に入れるために、あるいはボール６６をストラップ６８の間から取り外すために、装着者は、２つの隣接ストラップ６８を引き離し、分けられたストラップ６８の間に作り出された隙間から圧縮性ボール６６を強制的に通す。当業者は、ボール６６が１つの環状ストラップとこの環状ストラップから９０°ずれている１つの半環状ストラップとが備わったような異なるストラップ構成で固定されてもよい、ということを理解するであろう。
【００３０】
図示された実施形態では、都合のよいことに、グリップ６４はピロー１２の前面６２と外側面３０とを分離するピロー１２の縁７２に隣接してピロー１２に取り付けられている。図６に示されたように、吊り包帯１０が装着されると、グリップ６４は、装着者が彼あるいは彼女の治療腕における手でそれに容易に届くことのできる場所に配置されている。従って、装着者はストラップ６８から運動用グリップ６４を取り外すことなくそれを使用することができる。もちろん、必要があれば、装着者は、彼あるいは彼女の手を運動用グリップ６４で運動させる前にストラップ６８からそれを取り外すことができる。
【００３１】
図３によれば、胴ストラップ１６がピローの内側面２８の前縁７４と後縁７６との間に延びている。胴ストラップ１６は、図６および図８に示されたように、装着者の胴を包み込み、支持ピロー１２を装着者に固定する。このストラップの後縁７８は、内側面２８の後縁７６に隣接してストラップ８２によってピロー１２に永久的に固定されたＤリング８０に通されているのが好ましい。胴ストラップ１６の前端８４は、第１バックル部分８６に通されているのが好ましい。第１バックル部分８６は、内側面２８の前縁７４に隣接してストラップ９０によってピロー１２に永久的に固定された第２バックル部分８８に取り外し可能に係合している。
【００３２】
胴ストラップ１６のそれぞれの端部７８，８４には、フック生地９２が含まれている。胴ストラップ１６の中間部分９４にはループ部分（図示略）が含まれている。胴ストラップ１６の後端７８および前端８４は、Ｄリング８０および第１バックル部分８６にそれぞれ通されているとともに、胴ストラップ１６の中間部分９４の上に折り返されている。これらの端部におけるフック面９２は、中間部分９４でループ面に嵌合状に係合する。従って、胴ストラップ１６の長さは、端部７８，８４が中間部分９４に係合する箇所を変えることで調節することができる。当業者は、端部７８，８４にループ生地が含まれていて中間部分９４にフック生地が含まれていてもよい、ということを理解するであろう。
【００３３】
図４によれば、複数のストラップ１８，２０，２２が、肩パッド９６に係合しているとともに、図６〜図８に示されたように装着者の非治療肩から吊り包帯１０を吊るしている。図示された実施形態では、肩パッド９６は装着者の胸を覆って置かれている。装着者の好みにもよるが、肩パッド９６は、パッド９６の一部が装着者の肩から前方へ延びるように、かつ、パッド９６の一部が装着者の肩から後方へ延びるように、装着者の肩を覆って置かれてもよい。
【００３４】
ストラップ１８，２０，２２は、ナイロン布地のような柔軟で耐久性のある材料から構成されているのが好ましい。肩パッド９６は、緩衝性と弾力性がある材料からなる細長片から構成されているのが好ましく、また、複数の層から構成されていてもよい。例えば、このパッドには、ナイロンのような耐久性布地からなる外側層によって覆われた、弾力のある発泡材料からなる内側層が備わっていてもよい。図示された実施形態ではパッド９６は長方形である。しかしながら、当業者は肩パッド９６が任意の形状であってよいということを理解するであろう。
【００３５】
図示された実施形態では、ストラップ１８，２０，２２の上端９８，１００，１０２は、縫い付け部１０４によって肩パッド９６に永久に固定されている。当業者は、ストラップ１８，２０，２２がさまざまな代わりの手段によって肩パッド９６に固定されていてもよい、ということを理解するであろう。例えば、フックおよびループの生地によってストラップ１８，２０，２２が肩パッド９６に取り外し可能に固定されていてもよい。
【００３６】
図１および図２によれば、胸ストラップ１８が、肩パッド９６の前縁１０６から支持ピロー１２の前面６２まで下方へ延びている。胸ストラップ１８の下端１０８にはフック生地１１０が含まれている。ストラップ１８の下端１０８は、第１バックル部分１１２に通されているともに、胸ストラップ１８の中間部分１１４の上へ折り返されている。この中間部分１１４にはループ生地（図示略）が含まれている。このように、下端１０８は、胸ストラップ１８の長さを調節することができるように、さまざまな箇所で中間部分１１４に取り外し可能に固定することができる。第１バックル部分１１２は、ストラップ１１８によってピローの前面６２に永久的に固定された第２バックル部分１１６に取り外し可能に係合している。
【００３７】
図６および図８によれば、背ストラップ２０が、肩パッド９６の後縁１２０から腕ポーチ１４の後縁４２まで下方へ延びている。背ストラップ２０の下端１２２にはフック生地（図示略）が含まれている。背ストラップ２０のこの下端は、ストラップ１２６を介してポーチ１４の上方後縁４２に永久に固定されたＤリング１２４に通されている。この下端１２２は、背ストラップ２０の中間部分１２８の上へ折り返されている。この中間部分１２８にはループ生地（図示略）が含まれている。このように、下端１２２は、背ストラップ２０の長さを調節することができるように、さまざまな箇所で中間部分１２８に取り外し可能に固定することができる。
【００３８】
図１、図２、図６および図８によれば、回転防止ストラップ２２が、肩パッド９６の前縁１０６から支持ピロー１２の後面１３０（図８）まで下方へかつ装着者の胴の周りに延びている。回転防止ストラップ２２の下端１３２にはフック生地（図示略）が含まれている。ストラップ２２のこの下端は、ストラップ１３６を介してピローの後面１３０に永久に固定されたＤリング１３４に通されている。この下端１３２は、回転防止ストラップ２２の中間部分１３８の上へ折り返されている。この中間部分１３８にはループ生地が含まれている。このように、下端１３２は、回転防止ストラップ２２の長さを調節することができるように、さまざまな箇所で中間部分１３８に取り外し可能に固定することができる。
【００３９】
図１、図２および図４によれば、回転防止ストラップ２２には、都合のよいことにパッド入りスリーブ１４０が含まれている。図示された実施形態では、スリーブ１４０には、筒を形成するために半分に折り曲げられて縫われた長方形パッドが備わっている。当業者は、スリーブ１４０が２つの長方形パッドを２つの縁に沿って互いに縫い合わせることによるようなさまざまな他の方法で形成されていてもよい、ということを理解するであろう。スリーブ１４０は、緩衝性・弾力性材料から構成されているのが好ましく、また、複数の層から構成されていてもよい。例えば、このスリーブ１４０には、ナイロンのような耐久性布地からなる外側層によって覆われた、弾力のある発泡材料からなる内側層が備わっていてもよい。
【００４０】
スリーブ１４０には、回転防止ストラップ２２と装着者との間に緩衝層が設けられ、それによって、吊り包帯１０を装着している間の装着者の快適さが増大するようにされている。スリーブ１４０は、装着者がスリーブ１４０を最も快適な状態に位置させることができるように、回転防止ストラップ２２に沿ってスライドすることのできるものであるのが好ましい。例えば、図６および図８では、装着者は、スリーブ１４０をそれが胸筋および肋骨の上を覆うように位置させている。
【００４１】
図６および図８によれば、回転防止ストラップ２２は、吊り包帯１０が装着者に対して動くのを都合よく制限する。ピロー１２が装着者の胴に対して回転しがちであることによって、ピロー１２を反対方向へ引く傾向のある回転防止ストラップ２２における張力が作り出される。例えば、ピロー１２に作用してそれを装着者に対して回転させて装着者の背中へ向けて引く傾向のある力によって、胸ストラップ１８には、肩パッド９６を装着者の治療肩１４２へ向けて引く傾向のある張力が作り出される。肩パッド９６にかかる力によって、回転防止ストラップ２２には、肩パッド９６を装着者の非治療肩１４４へ向けて後方に引く傾向のある張力が作り出される。同じように、ピロー１２に作用してそれを装着者の腹部へ向けて回転させる傾向のある力によって、背ストラップ２０には、肩パッド９６を装着者の治療肩１４２へ向けて引く傾向のある張力が作り出される。肩パッド９６にかかる力によって、回転防止ストラップ２２には、肩パッド９６を装着者の非治療肩１４４へ向けて後方に引く傾向のある張力が作り出される。このように、回転防止ストラップ２２によって、吊り包帯１０が所望の外転角および外旋角で装着者の腕を保持することが可能になり、装着者の肩１４２を治療するときにおける吊り包帯１０の有効性が増大する。
【００４２】
図６〜図８には、装着者に装着された吊り包帯１０が図示されている。支持ピロー１２は、治療肩１４２の下で装着者の腰に置かれている。ピローの内側面２８は装着者の腰と胴に接しており、装着者の前腕はポーチ１４の内部に置かれている。肩パッド９６は装着者の非治療肩１４４の上に置かれている。胸ストラップ１８は、肩パッド９６から対角線状に下方へ、かつ、装着者の胸を横切って、支持ピロー１２の前方部分６２まで延びている。背ストラップ２０は、肩パッド９６から対角線状に下方へ、かつ、装着者の背中を横切って、腕ポーチ１４の上方後縁４２まで延びている。回転防止ストラップ２２は、肩パッド９６から対角線状に下方へ、かつ、装着者の胸を横切って、非治療肩１４４の下で装着者の胴の周りに、かつ、装着者の背中を横切って、支持ピロー１２の後面１３０まで延びている。
【００４３】
典型的には、医師は初めに吊り包帯１０を装着者へ装着する。吊り包帯１０は、相異なる体形の装着者に装着するために、さまざまな寸法で入手することのできるものであるのが好ましい。図６〜図８に示されたように、適切な寸法の吊り包帯１０を装着者に適用した後に、医師は、胴ストラップ１６が装着者のウエストに対してぴったりと装着されるように、胴ストラップ１６の長さを調節する。医師は、胸ストラップ１８、背ストラップ２０および回転防止ストラップ２２が所望の外転角および外旋角で装着者の腕を適切に支持するまで、これらのストラップ１８，２０，２２の長さも調節する。
【００４４】
図３によれば、都合のよいことに、支持ピロー１２の上面１４６には、医師がストラップ１８，２０，２２を適切に調節するために利用することのできるまっすぐな表示線１４８が含まれている。医師は、彼あるいは彼女が吊り包帯１０を装着者に装着するときに表示線１４８の方位を観察する。線１４８が装着者の身体の正中横軸に対して平行であるときには、ストラップ１８，２０，２２は所望の外旋角について適切に調節されている。医師が吊り包帯１０を適切に方向付けするのに役立つように、彼あるいは彼女は装着者を壁に対向するように位置させる。医師は次いで、表示線１４８が壁に対して平行であるかどうかを判定し、必要に応じてストラップ調節を行う。装着者を壁にきわめて近く位置させることによって、医師は、表示線１４８が壁に対して平行であるときには壁と表示線１４８の上のさまざまな箇所との間の距離が互いに等しいということを確認するために、計測することさえできる。
【００４５】
吊り包帯１０が適切に装着されると、装着者は、彼自身あるいは彼女自身によって、吊り包帯１０を容易に取り外して再び適用することができる。吊り包帯１０を取り外すためには、装着者は、胴ストラップ１６および胸ストラップ１８における第１バックル部分および第２バックル部分を単に外すだけでよい。重力によって支持ピロー１２は地面へ向かって引かれ、また、吊り包帯１０の全体は、肩パッド９６によって装着者の非治療肩１４４から吊るされる。装着者は次いで、肩パッド９６を掴んで、背ストラップ２０と回転防止ストラップ２２との間の空間を通して彼あるいは彼女の非治療腕を引き抜く。
【００４６】
吊り包帯１０を迅速かつ容易に適用するためには、装着者は手始めに、胸ストラップ１８の第１バックル部分１１２および第２バックル部分１１６を外し、また、胴ストラップ１６における第１バックル部分８６および第２バックル部分８８を外す。胴ストラップ１６、背ストラップ２０および回転防止ストラップ２２はそれぞれ、それらの各Ｄリングに接続されている。装着者は、彼あるいは彼女の腕をポーチ１４の中に置いてストラップ５２，５６を固定する。次に、装着者は、治療肩１４２の下で彼あるいは彼女の身体の側部にピロー１２を置き、第１バックル部分８６および第２バックル部分８８を再び接続することで、ピロー１２を胴ストラップ１６に固定する。装着者は、彼あるいは彼女の非治療腕１４４をストラップ２０とストラップ２２との間の開口に挿入し、パッド９６を肩１４４の上に位置させる。最後に、装着者は、第１バックル部分１１２および第２バックル部分１１６を接続することで胸ストラップ１８を固定する。
【００４７】
上記のことは、この発明の肩吊り包帯を実施するために意図されたベストモード、およびそれを製造しかつ使用する方法および方式を、この肩吊り包帯の製造および使用に関する当業者に可能であるように、充分に、明確に、簡潔に、かつ正確な用語で記載することを表わしている。しかしながら、この肩吊り包帯は、充分に等価である、上で検討されたものから修正および代わりの構成を受けることができる。従って、この肩吊り包帯は開示された特定の実施形態に限定されない。これに反して、この肩吊り包帯には、肩吊り包帯の主題を特に指摘しかつはっきりと権利要求する特許請求の範囲によって広く表現されたように、肩吊り包帯の精神および範囲の内部に入るすべての修正および代わりの構成が含まれている。
【図面の簡単な説明】
【００４８】
【図１】図１は、この発明の肩吊り包帯に係る好ましい実施形態の前方側斜視図であって、好ましい支持ピローを図示している。
【図２】図２は、この発明の肩吊り包帯に係る別の好ましい実施形態の前方側斜視図であって、別の好ましい支持ピローを図示している。
【図３】図３は、図２の支持ピローおよび胴ストラップの後方側斜視図である。
【図４】図４は、図１および図２の肩パッド、胸ストラップ、背ストラップおよび回転防止ストラップの底面図である。
【図５】図５は、図１および図２の前腕ポーチの前方側斜視図である。
【図６】図６は、図１の肩肩吊り包帯の正面図であって、装着者へ適切に適用された吊り包帯を図示している。
【図７】図７は、図６の肩吊り包帯および装着者の左側面図である。
【図８】図８は、図６の肩吊り包帯および装着者の背面図である。
【図１】
2007505651.tif 000003
【図２】
2007505651.tif 000004
【図３】
2007505651.tif 000005
【図４】
2007505651.tif 000006
【図５】
2007505651.tif 000007
【図６】
2007505651.tif 000008
【図７】
2007505651.tif 000009
【図８】
2007505651.tif 000010
【国際調査報告】
2007505651.tif 000011
2007505651.tif 000012
2007505651.tif 000013
2007505651.tif 000014
2007505651.tif 000015